【誤訳訂正書】
【提出日】平成29年10月6日(2017.10.6)
【誤訳訂正１】
【訂正対象書類名】特許請求の範囲
【訂正対象項目名】全文
【訂正方法】変更
【訂正の内容】
【特許請求の範囲】
【請求項１】
式：
【化１】
2015523415.tif 000001
（式中、ｍは、２〜１００の正の整数であり、そしてｎは、０〜１００の整数であり；Ａは、一般式：
【化２】
2015523415.tif 000002
（式中、Ｒ１、Ｒ２およびＲ３は、水素、および一つまたは複数のヘテロ原子を任意に含む、１〜５０の炭素原子を有する一価の炭化水素ラジカルより、独立して選択され；Ｅは、一般式Ｆ−Ｌ−Ｇの一価の基であり（式中、Ｆは、アルケニル連結基、エステル連結基、エーテル連結基、アミン連結基、アミド連結基、カーボネート連結基、およびカーバメート連結基より選択される、二価の連結基であり；Ｌは、一つまたは複数のヘテロ原子を任意に含む、１〜１００の炭素原子を有する、置換または非置換、直鎖、分枝状、環状、脂肪族、または芳香族炭化水素より選択される二価の部分であり；そしてＧは、一般式Ｍ１ａＭ２ｂＤ１ｃＤ２ｄＴ１ｅＴ２ｆＱｇを有するシリコーン単位であり、ここで、Ｍ１＝Ｒ５Ｒ６Ｒ７ＳｉＺ１／２、Ｍ２＝Ｒ８Ｒ９Ｒ１０ＳｉＺ１／２、Ｄ１＝Ｒ１１Ｒ１２ＳｉＺ２／２、Ｄ２＝Ｒ１３Ｒ１４ＳｉＺ２／２、Ｔ１＝Ｒ１５ＳｉＺ３／２、Ｔ２＝Ｒ１６ＳｉＺ３／２、Ｑ＝ＳｉＺ４／２；Ｒ５、Ｒ６、Ｒ７、Ｒ９、Ｒ１０、Ｒ１１、Ｒ１２、Ｒ１４およびＲ１５は、一つまたは複数のヘテロ原子を任意に含む、１〜５０の炭素原子を有する一価の炭化水素ラジカルより、独立して選択され；Ｒ８、Ｒ１３およびＲ１６は、構造：
【化３】
2015523415.tif 000003
（式中、Ｒ１８、Ｒ１９、およびＲ２０は、水素、および一つまたは複数のヘテロ原子を任意に含む、１〜１０の炭素原子を有する炭化水素ラジカルより、独立して選択され、整数ｑは、０〜１０であり、そしてＲ１７は、ｑ＝０およびＬが環状残基である時、Ｒ１７が水素であるような、１〜５の炭素原子を有する炭化水素ラジカル、または水素原子である）を有する、末端オレフィンの二価の残基より、独立して選択され；ａ、ｃ、ｅ、およびｇは、０、または０＜ａ＋ｂ＋ｃ＋ｄ＋ｅ＋ｆ＋ｇ＜５００を満たすような正の整数であり；下付き文字ｂ、ｄ、およびｆは、ｂ＋ｄ＋ｆ＝ｌを満たすような、０または１の値を有し；そしてＺは、ＯまたはＣＨ２基より選択され、プレポリマー分子は、偶数のＯ１／２および偶数の（ＣＨ２）１／２基を含み、そしてＯ１／２および（ＣＨ２）１／２基共、全て、プレポリマー分子内で対を成すという制限を受ける））
を有する二価のブロックであり；
Ｂは、式：
【化４】
2015523415.tif 000004
（式中、Ｒ２５、Ｒ２６、Ｒ２７、およびＲ２８は、水素、ハロゲン、水酸基、ならびに複数のヘテロ原子を任意に含む、芳香族、脂肪族および／またはアラルキル部分を含む炭化水素ラジカルより、独立して選択される）を有する二価のラジカルであり；
Ｗは、ＸまたはＹ（Ｘは、反応基を表し、そしてＹは、鎖停止基を表す）より選択されてよく、ここで：
Ｘは、式：
【化５】
2015523415.tif 000005
（式中、Ｒ２１、Ｒ２２、およびＲ２３は、水素、または一つもしくは複数のヘテロ原子を任意に含む、１〜５の炭素原子を有する一価の炭化水素ラジカルより、選択されてよく；Ｈは、ＯまたはＮＲ２４であってよく、ここで、Ｒ２４は、水素、または１〜５の炭素を有する一価の炭化水素ラジカルであってよく；Ｊは、１〜１０の炭素原子を有する、そして一つまたは複数のヘテロ原子を任意に含む、置換または非置換脂肪族または芳香族炭化水素より選択される二価の部分である）
を有するフリーラジカル重合性基であり；そして
Ｙは、水素、水酸基、チオール、アミン、または一つもしくは複数のヘテロ原子を任意に含む、１〜１０の炭素原子を有する一価の炭化水素ラジカルより、独立して選択されてよい）
のシロキサンプレポリマーを含む、ハイドロゲル組成物。
【請求項２】
前記Ｌが、ポリアルキレンオキシド、または−ＣＨ２ＣＨ２Ｏ−、−ＣＨ２ＣＨ（ＣＨ３）Ｏ−、−ＣＨ２ＣＨ２ＣＨ２Ｏ−、および最大６の炭素原子を有するそれらの誘導体より選択されるポリアルキレンオキシドより選択される親水性残基である、請求項１に記載の組成物におけるプレポリマー。
【請求項３】
前記Ｌが、構造：
【化６】
2015523415.tif 000006
を有する環状炭化水素残基である、請求項１に記載の組成物におけるプレポリマー。
【請求項４】
前記基Ｅの単位ＧにおけるＲ９、Ｒ１０、Ｒ１１、Ｒ１３、Ｒ１４、Ｒ１５、Ｒ１６、Ｒ１８、およびＲ２０が、メチル、エチル、プロピル、イソ−プロピル、ブチル、イソブチル、フェニル、ナフチル、および８〜２０の炭素原子を有するアラルキルラジカルより選択される炭化水素ラジカル基、トリフルオロメチルプロピル、ならびにそれらの二つまたはそれを超える組み合わせより、独立して選択される、請求項１に記載の組成物におけるプレポリマー。
【請求項５】
前記単官能基Ｅが、式：
【化７】
2015523415.tif 000007
（式中、ａは、０〜５０であり、そしてｍは、０〜５０であり、Ｋ＝ＯまたはＮＨである）；
【化８】
2015523415.tif 000008
（式中、ａ＋ｂは、０〜５０であり、そしてｍは、０〜５０であり、Ｋ＝ＯまたはＮＨである）；
【化９】
2015523415.tif 000009
（式中、ａ＋ｂ＋ｃは、０〜１００であり、そしてｍは、０〜５０であり、Ｋ＝ＯまたはＮＨである）；
【化１０】
2015523415.tif 000010
（式中、ａは、１〜５０であり、そしてｍは、０〜５０であり、Ｋ＝ＯまたはＮＨである）；
【化１１】
2015523415.tif 000011
（式中、ｍは、０〜５０であり、Ｋ＝ＯまたはＮＨである）；
【化１２】
2015523415.tif 000012
（式中、Ｋは、ＯまたはＮＨであり、Ｒは、−ＣＨ３または−（ＯＳｉ（ＣＨ３）２）ｎであり、ｂは、０〜１００であり、そしてｎ＋ｂは、０〜１００である）；あるいは
【化１３】
2015523415.tif 000013
（式中、Ｋは、ＯまたはＮＨであり、ａは、０〜１００である）；
のいずれかより選択される構造を有する、請求項１に記載の組成物におけるプレポリマー。
【請求項６】
前記Ｒ２５およびＲ２６が、水素であり、前記Ｒ２７が、水素、またはメチルラジカルより選択され、そして前記Ｒ２８が、エチレン性−不飽和親水性モノマーまたは疎水性モノマーの一部である、請求項１に記載の組成物におけるプレポリマー。
【請求項７】
前記プレポリマーが、少なくとも一つの末端反応基を有する、請求項１に記載の組成物。
【請求項８】
前記プレポリマーが、（ａ）ホモポリマー、または（ｂ）コポリマーである、請求項１または７に記載の組成物。
【請求項９】
前記プレポリマーが、ビニルモノマー、アクリルアミドモノマー、アクリルモノマー、またはそれらの二つまたはそれを超える組み合わせより選択されるフリーラジカル重合性有機モノマーと重合する、請求項８に記載の組成物。
【請求項１０】
前記ビニルモノマーが、Ｎ−ビニル−ピロリドン、Ｎ−ビニル−カプロラクタム、Ｎ−ビニル−アセトアミド、Ｎ−ビニル−ホルムアミド、およびＮ−ビニル−イソプロピルアミド、ビニルベンゼン、ビニルナフタレン、ビニルピリジン、ビニルアルコール、ビニル含有シリコーン、またはそれらの二つまたはそれを超える組み合わせより選択され、ならびに前記アクリルモノマーが、メタクリル酸２−ヒドロキシエチル（ＨＥＭＡ）、アクリル酸２−ヒドロキシエチル（ＨＥＡ）、メタクリル酸ヒドロキシプロピル、メチルアンモニウム２−ヒドロキシプロピルメタクリレート塩酸塩、メタクリル酸ジメチルアミノエチル、グリセロールメタクリレート、Ｎ，Ｎ−ジメチルアクリルアミド、Ｎ−イソプロピルアクリルアミド、アクリルアミド、メタクリルアミド、アクリル酸、メタクリル酸、アクリル化親水性もしくは疎水性有機シリコーン、またはそれらの二つまたはそれを超える組み合わせより選択される、請求項９に記載の組成物。
【請求項１１】
（１）エチレングリコールジメタクリレート、トリメチロイルプロパントリメタクリレート、ジエチレングリコールジメタクリレート、ビスフェノールＡジメタクリレート、ジグリシジルビスフェノールＡジメタクリレート、およびジメタクリレート末端ポリエチレングリコール、および反応性直鎖またはペンダントポリエーテル変性シリコーンより選択される架橋剤、および／または（２）開始剤であって、２，２’−アゾビス（２，４−ジメチルペンタンニトリル）、２，２’−アゾビス（２−メチルプロパンニトリル）、２，２’−アゾビス（２−メチルブタンニトリル）、過酸化ベンゾイル等の過酸化物、ベンゾインメチルエーテル、ジエトキシアセトフェノン、ベンゾイルホスフィンオキシド、２−ヒドロキシ−２−メチルプロピオフェノン（ＨＭＰＰ）、１−ヒドロキシシクロヘキシルフェニルケトン、α−ヒドロキシケトンタイプ、フェニルグリオキシレートタイプ、ベンジルジメチル−ケタールタイプ、α−アミノケトンタイプ、モノーアシルフォスフィンタイプ、ビス−アシルフォスフィンタイプ、フォスフィンオキシド、メタロセンタイプ、およびヨードニウム塩より選択される、熱または光開始剤を任意に含む、請求項９または１０に記載の組成物。
【請求項１２】
請求項１、７〜１１のいずれか１項に記載のハイドロゲル組成物を含むコンタクトレンズ。
【請求項１３】
抽出において、１５〜１２５℃の温度範囲で、水、有機または無機塩溶液、緩衝液、エマルジョン、市販のレンズ洗浄液、または眼科用に適合可能な溶媒より選択される、低公害型または水性溶媒を含むプロセスにより調製されてなる、請求項１２に記載のコンタクトレンズ。
【請求項１４】
布地、紙、革、パーソナルケア、ヘルスケア、ホームケア、コーティング、塗料、または種子処理調合物における膜形成添加剤である、請求項１、７〜１１のいずれか１項に記載のハイドロゲル組成物。